(57)【要約】  本発明は、電気モータ（１）のコミュテータ（６）に少なくとも間接的に接触するように構成される電気的接続ライン（２４）を受容するためのプラグコネクタ要素（２２）と、  前記コミュテータ（６）に接触する接続要素（４０）及び／又は電気回路の少なくとも１つの構成部品が配設されるキャリア要素（２６；２６ａ）と、を有する風防ワイパーシステム用のワイパーモータ（１００）用の接続ユニット（２０；２０ａ）に関する。
2019500844.tif 000002
【特許請求の範囲】
【請求項１】
電気モータ（１）のコミュテータ（６）に少なくとも間接的に接触するように構成される電気的接続ライン（２４）を受容するためのプラグコネクタ要素（２２）と、
前記コミュテータ（６）に接触するための接続要素（４０）及び／又は電気回路の少なくとも１つの構成部品が配設されるキャリア要素（２６；２６ａ）と、
を有する風防ワイパーシステム用のワイパーモータ（１００）用の接続ユニット（２０；２０ａ）において、
特に前記電気モータ（１）により駆動されるギアホイール（１５）である駆動要素の回転角度位置を検出するための少なくとも１つの接触部（６３）が、前記キャリア要素（２６；２６ａ）に設けられる、
ことを特徴とする請求項１に記載の接続ユニット。
【請求項２】
前記プラグコネクタ要素（２２）は、前記電気的接続ライン（２４）とともに、前記キャリア要素（２６；２６ａ）に直接接続される、
ことを特徴とする請求項１に記載の接続ユニット。
【請求項３】
前記少なくとも１つの接触部（６３）は、接触要素（６７）にプリロード力を生成するためのバネ荷重接触部（６３）として形成される、
ことを特徴とする請求項１又は２に記載の接続ユニット。
【請求項４】
前記少なくとも１つの接触部（６３）は、接続ライン（２４）を形成するリードフレーム要素（４４）に接続される、
ことを特徴とする請求項１乃至３のいずれか一項に記載の接続ユニット。
【請求項５】
前記キャリア要素（２６）は、前記カーボンブラシホルダプレート（３０）にラッチ接続部（３４）によって接続し、
互いに相互作用する電気的接触要素（４０、４２）が、前記キャリア要素（２６）及び前記カーボンブラシホルダプレート（３０）に形成される、
ことを特徴とする請求項１乃至４のいずれか一項に記載の接続ユニット。
【請求項６】
前記キャリア要素（２６；２６ａ）は、少なくとも本質的にプレート型に形成され、
前記少なくとも１つの接触部（６３）及び／又は少なくとも１つの追加の接触部（４６）及び／又は前記少なくとも１つの構成部品は、前記キャリア要素（２６；２６ａ）の異なる側面（２８、６２）に配設される、
ことを特徴とする請求項１乃至５のいずれか一項に記載の接続ユニット。
【請求項７】
前記キャリア要素（２６；２６ａ）は、電子回路用の回路キャリア（５２）を受容する、又は固定するように形成される、
ことを特徴とする請求項１乃至６のいずれか一項に記載の接続ユニット。
【請求項８】
前記キャリア要素（２６；２６ａ）は、別箇の構成部品として形成される前記カーボンブラシホルダプレート（３０）とともに、予め組立可能な構造ユニット（３２）として形成される
ことを特徴とする請求項１乃至７のいずれか一項に記載の接続ユニット。
【請求項９】
駆動シャフト（４）を備える電気モータ（１）を有する風防ワイパーシステム用のワイパーモータ（１００）であって、
前記駆動シャフト（４）は、ギアボックス（１０；１０ａ）内部のギアホイール（１５）と相互作用し、
前記ワイパーモータ（１００）は、請求項１乃至８のいずれか一項に記載の接続ユニット（２０；２０ａ）を備える、
ワイパーモータ。
【請求項１０】
前記ギアボックス（１０）は、挿入開口（７１）を有する受容部（６９）を備え、その内部に、前記接続ユニット（２０）の少なくとも１つの部品が、引出式の前記ギアボックス（１０）の外側から挿入され得る、
ことを特徴とする請求項９に記載のワイパーモータ。
【請求項１１】
前記接続ユニット（２０ａ）は、前記ギアボックス（１０ａ）の外側で前記接続ユニット（２０ａ）の表面の領域において、前記ギアボックス（１０ａ）に接続する、
ことを特徴とする請求項９に記載のワイパーモータ。
【請求項１２】
前記ギアボックス（１０ａ）は、少なくとも１つの開口（９２、９３）を備え、その内部に、前記接続ユニット（２０ａ）の前記少なくとも１つの接触部（６３）及び前記接続要素（４０）が突出する、
ことを特徴とする請求項１１に記載のワイパーモータ。
【請求項１３】
前記接続ユニット（２０ａ）が組入れられると、前記少なくとも１つの開口（９２、９３）は、前記接続ユニット（２０ａ）によってカバーされる
ことを特徴とする請求項１２に記載のワイパーモータ。
【請求項１４】
前記ギアボックス（１０；１０ａ）に組入れられた状態の前記接続ユニット（２０；２０ａ）は、前記ギアホイール（１５）と部分的にオーバーラップして配設される、
ことを特徴とする請求項９乃至１３の一項に記載のワイパーモータ。
【請求項１５】
前記受容部（６９）及び前記接続ユニット（２０）のエリアにおける、前記受容部（６９）への挿入中に前記接続ユニット（２０）をガイドするためのガイド手段（７５、７７）が設けられる
ことを特徴とする請求項９又は１４に記載のワイパーモータ。
【請求項１６】
組立位置において、ラッチ接続部（８０、８０ａ）が、前記ギアボックス（１０；１０ａ）と前記接続ユニット（２０）との間に形成される、
ことを特徴とする請求項９乃至１５のいずれか一項に記載のワイパーモータ。
【請求項１７】
前記ギアボックス（１０；１０ａ）は金属からなるとともに、前記接続ユニット（２０；２０ａ）は少なくとも部分的にプラスチックからなり、
前記接続ユニット（２０；２０ａ）の組立状態において、前記ギアボックス（１０；１０ａ）と前記接続ユニット（２０；２０ａ）との間のエリアが、シール材によって媒体密的に閉鎖される、
ことを特徴とする請求項９乃至１６の一項に記載のワイパーモータ。
【発明の詳細な説明】
【技術分野】
【０００１】
本発明は、請求項１のプリアンブル（前提）に記載の風防ワイパーシステム用のワイパーモータ用の接続ユニットに関する。更に、本発明は、本発明による接続ユニットを使用するワイパーモータに関する。
【背景技術】
【０００２】
請求項１のプリアンブルに記載の特徴を有するワイパーモータ用の接続ユニットが、ＵＳ７，１０９，６１７Ｂ２から公知である。公知の接続ユニットは、電気的接続ラインを受容するためのプラグコネクタ要素を備え、このプラグコネクタ要素は、カーボンブラシホルダプレートに接続される。カーボンブラシホルダプレートとプラグコネクタ要素とからなる構造ユニットが、ギアボックスに接続される。電気モータによって駆動される要素、通常はギアホイールが、ギアボックスの内部に設けられる。例えば、ギアホイールに配設された抵抗トラックによって、この抵抗トラックを滑り接触部として形成された接触部に接触させることにより、ギアホイール位置、及びワイパーアームの位置を検出することが可能となる。ＵＳ７，１０９，６１７Ｂ２において、接続ユニットが、ギアボックス内部のギアホイールから比較的大きい距離を以て離間したエリアに配設されているため、接続ユニットを、接触部又は滑り接触部に、追加の接続部を介して接続することが必要である。このようなアプローチは、比較的高度な製造又は組立に対する尽力を伴い、エラーを生じがちである。
【発明の概要】
【０００３】
上述の従来技術に基づいて、本発明に存在する目的は、特にワイパーモータのギアホイールである駆動要素の回転角度位置の確実で信頼性の高い検出を、比較的単純な構造形態において可能とする、請求項１のプリアンブルに記載の風防ワイパーシステム用のワイパーモータを開発することである。
【０００４】
本発明によれば、請求項１の特徴を有する風防ワイパーシステム用のワイパーモータ用の接続ユニットにおいて、この目的は、特に電気モータにより駆動されるギアホイールである駆動要素の回転角度位置を検出するための少なくとも１つの接触部が、キャリア要素に設けられることで本質的に達成される。換言すれば、これは、接続ユニットのキャリア要素が、このキャリア要素に固定的に接続された追加の接触部を備えることを意味する。この接触部は、‐接続ユニットのワイパーモータへの、特にそのギアボックスへの組立プロセスにおいて、‐同時に且つ直接的に、すなわち更なるブリッジ構成要素を使用せずに、対応する要素、特に駆動要素に配設されるとともに少なくとも１つの追加の接触部と相互作用する抵抗トラックに係合する、又は電導的に接触する。
【０００５】
本発明による接続ユニットの有利な展開例が従属請求項に示される。
【０００６】
製造上の観点から好適な接続ユニットの実施形態において、接続ユニット又はワイパーモータとの接触のための電気的接続ラインのキャリアとして機能するプラグコネクタ要素は、電気的接続ラインとともに、キャリア要素に直接接続される。
【０００７】
接続ユニットの組立プロセスにおいて、駆動要素の回転角度位置を検出するための少なくとも１つの接触部の駆動要素への確実な電気的接触を可能とするように、少なくとも１つの接触部は、弾性的に形成された端部セクションを有するバネ荷重接触部として形成されることが好適に想定される。したがって、接続要素をワイパーモータに組付けた状態において、この端部セクションは、駆動要素の対応する接触部に対して前負荷的（プリロード）な態様で当接する。
【０００８】
特に、少なくとも１つの接触部が、接続ラインを形成するリードフレーム要素に接続されることが想定され得る。このようなリードフレーム要素は、駆動要素の各適用例又は各構造設計及び配設に非常に単純に適合し得るという利点を提供する。
【０００９】
接続ユニットの更に好適な実施形態において、キャリア要素は、カーボンブラシホルダプレートにラッチ接続部によって接続し、互いに相互作用する電気的接触要素が、キャリア要素及びカーボンブラシホルダプレートに形成されることが想定される。
【００１０】
また、本発明は、風防ワイパーシステム用のワイパーモータを備える。ワイパーモータは、駆動シャフトを有する電気モータを備える。駆動シャフトは、ギアボックス内部のギアホイールと相互作用する。ワイパーモータは、上述の接続ユニットを備える。
【００１１】
受容部と挿入開口とを有するギアボックスの実施形態であって、その内部に接続ユニット引出式のギアボックスの外側から挿入され得る実施形態が特に好適である。
【００１２】
しかしながら、代替例として、ギアボックスが少なくとも１つの開口を備え、その内部に接続ユニットの少なくとも１つの接触部が突出し、接続ユニットは、ギアボックスの外側で接続ユニットの表面の領域において、ギアボックスに接続することも考えられる。
【００１３】
本発明の最後に指定される更なる展開例において、接続ユニットが組入れられると、開口は接続ユニットによってカバーされることが想定される。
【００１４】
接続ユニットと、少なくとも１つの接触部に係合するように配設されたギアホイールのエリアとの間の物理的距離を最小とするように、ギアボックスに組入れられた状態の接続ユニットは、ギアホイールと部分的にオーバーラップして配設されることが更に想定される。
【００１５】
接続ユニットとのギアボックスの受容部との組立プロセスを単純化するように、受容部への挿入中に接続ユニットをガイドするためのガイド手段が、受容部及び接続ユニットのエリアに設けられることが想定される。このようなガイド手段により、組立プロセスが容易化される、又は単純化されるとともに、潜在的なダメージにつながる設置エラーが排除される。
【００１６】
更に、接続ユニットの組立位置において、ラッチ接続部が、ギアボックスと接続ユニットとの間に形成されることが特に好適である。これにより、工具なしに、接続ユニットがギアボックスに取り付けられ得る。
【００１７】
ワイパーモータの媒体密的構造を可能とするように、ギアボックスは金属からなるとともに、接続ユニットは少なくとも部分的にプラスチックからなり、ギアボックスと接続ユニットとの間のエリアが、シール材によって媒体密的に閉鎖されることが更に想定される。
【００１８】
本発明の更なる利点、特徴及び詳細が、好適な例示的実施形態についての以下の説明、
並びに図面から由来する。
【図面の簡単な説明】
【００１９】
【図１】風防ワイパーシステム用のワイパーモータの必須構成部品の分解図。
【図２】部分的に組立てられた状態にある図１のワイパーモータの平面図。
【図３】カーボンブラシホルダプレート及び接続ユニットの部品の接続前の斜視図。
【図４】カーボンブラシホルダプレート及び接続ユニットの部品の接続後の斜視図。
【図５】接続ユニットのギアボックスの挿入開口への挿入時のワイパーモータの部品の斜視図。
【図６】ギアホイールのかみ合い要素に接触するための接触部を有するカーボンブラシホルダプレートからなるアセンブリの斜視図。
【図７】変形例による接続ユニットの構成部品の斜視図。
【図８】ハウジングカバーのタイプにおけるギアボックス領域に接続され得る変形例による更なる接続ユニットの斜視図。
【発明を実施するための形態】
【００２０】
同様の要素又は同一の機能を有する要素には、図面を通じて同様の参照符号が付される。
【００２１】
図１及び２に、風防ワイパーシステムの部品として機能するワイパーモータ１００の必須構成部品を示す。風防ワイパーシステムは、特に、ワイパーブレード（図示せず）を有するワイパーアームによって窓を洗浄するために自動車両の後部エリアに存在するが、これに限られない。
【００２２】
ワイパーモータ１００は、ブラシタイプ（電気）モータ１を備える。ブラシタイプ（電気）モータ１は、深絞りプロセスにおいて別箇の構成部品として製造されるシートメタルからなるポット形状のモータハウジング２を有する。アンカー３が、モータハウジング２の内部に回転可能に支持される。その駆動軸として機能するアンカーシャフト４であって、歯部セクション５を有してギアボックス１０内に突出するアンカーシャフト４は、好適には金属（アルミニウム）からなり、ダイキャスト鋳造法において製造される。ギアボックス１０の受容スペースにおいて、歯部セクション５は、ギアボックス１０において軸１３に回転可能に支持されるギアホイール１５の対応する歯部１１と互いにかみ合う。ギアホイール１５は、レバー機構１７を介して少なくとも間接的に駆動シャフト１９に連結され、上述のワイパーブレードを有するワイパーアームが駆動シャフトに取付けられ得る（図示せず）。
【００２３】
更に、図１乃至４に特に示すように、ワイパーモータ１００は、電気的接続ライン（図６）を受容するためのプラグコネクタ要素２２を有する接続ユニット２０を備える。具体的には、ワイパーモータ１００は、自動車両のケーブルツリーを介して、プラグ接続要素２２又は電気的接続ライン２４によって作動され得る。更に、接続ユニット２０は、プレート形状のキャリア要素２６を備える。キャリア要素２６は、少なくとも１つの電気又は電子構成部品（図示せず）を支承する。又は、キャリア要素２６は、このキャリア要素２６に少なくとも間接的に接続された電子回路に接続可能である。
【００２４】
図示例の実施形態において、プラグコネクタ要素２２は、キャリア要素２６と同様にプラスチック材料からなり、電気的接続ライン２４がプラグコネクタ要素２２及びキャリア要素２６に直接接続されるように、又はプラグコネクタ要素２２及びキャリア要素２６の材料によって少なくとも部分的に囲繞されるか打設のような成形（cast-around）をなされるように、プラグコネクタ要素２２は、一体（モノリシック）構成部品として形成されている。
【００２５】
プラグコネクタ要素２２とキャリア要素２６とは別箇の構成部品として形成され、例えばラッチ接続部、ネジ接続部又は他の好適な接続部を介して互いに接続されることも想定され得る。
【００２６】
接続ユニット２０は、カーボンブラシホルダプレート３０に、カーボンブラシホルダプレート３０と接続プレート２０とが予め組立可能／取付可能な構造ユニット３２を形成するような態様で接続される。この目的のために、ラッチ接続部３４が、キャリア要素２６とカーボンブラシホルダプレート３０との間に形成される。ラッチ接続部３４は、カーボンブラシホルダプレート３０に形成されたラッチトラニオン３６を備える。ラッチトラニオン３６は、キャリア要素２６の領域に設けられた対応するラッチ開口３８と、ラッチトラニオン３６をラッチ開口３８に嵌合する際に、ラッチ接続部３４を形成するように相互作用する。更に、電気的接続要素４０が、キャリア要素２６のエリアであってラッチ接続部３４のエリアの外側に設けられる。電気的接続要素４０は、おおよそプレートのような形状とされており、少なくとも間接的に電気的接続ライン２４に電気的に接続される。電気的接続要素４０は、カーボンブラシホルダプレート３０に配設された電気的接続要素４２と相互作用する。電気的接続要素４２は、例えばラッチ接続部３４が形成されると、電気的接続要素４０に電導的に接続するようになる。ここで、ラッチ接続部３４の形成時にバネ力を受けて互いに当接するように、電気的接続要素４０、４２は、予め弾性的に屈曲していることが想定され得る。
【００２７】
しかしながら、接続要素４０、４２の間の接続を、はんだ、クリンプ留め、又は溶接接続を介して、又は他の接続技術によって形成することも可能であり得る、もしくは想定され得る。
【００２８】
カーボンブラシホルダプレート３０の電気的接続要素４２は、図１に示される電気モータ１のコミュテータ６に対する電気的接続を供する。
【００２９】
カーボンブラシホルダプレート３０は、アンカーシャフト４を通過させてガイドするための貫通口４３を有するプレート形状のキャリア領域４１を備える。構造ユニット３２を組立てる場合、キャリア領域４１の平面とプレート形状のキャリア要素２６の平面とは、互いに対して垂直に配設される。
【００３０】
更に、キャリア要素２６は、側面２８において接続ライン２４と一体に形成されるリードフレーム要素４４を備える。それらの端部セクションは、接続セクション４６（図４）のタイプにおいて部分的に形成される。接続セクション４６を介して、電気回路（図示せず）を支承する図７のみに示す回路キャリア５２が、他のラッチ接続部４８を介して、キャリア要素２６に配設されたラッチトラニオン５０に接続され得る。この目的のために、回路キャリア５２は、対応するラッチ開口５３を備えている。更に、図３及び７によれば、回路キャリア５２は、カバープレート５５によってカバーされる、又は保護されることも想定され得る。カバープレート５５は、ラッチ開口５７を介した更なるラッチ接続にも関与する。
【００３１】
必要な構成部品の設置後にギアボックス１０の受容スペースを閉鎖するように、ギアボックス１０は、ギアカバー５９を更に備える。ギアカバー５９は、締結ネジ６２（図１）によってギアボックス１０に接続され得る。
【００３２】
特に図５及び６に示すように、２つの更なるバネ荷重接触部６３が、例示的な態様において、キャリア要素２６の側面６２であって、キャリア要素２６のエリアにおける接続セクション４６の反対側に設けられる。バネ荷重接触部は、例えば、回路キャリア５２のエリアにおける電子回路に電気的に接触する。接触部６３はリードフレーム要素４４に接続されるが、接続ユニット２０をギアボックス１０に組入れた状態において、図６のギアホイール１５に位置決め配置固定された接触要素６７に、バネ荷重の態様において、その尖った当接領域６５で対向する。接触要素は、接触部６３の対応接触部として機能する。ギアホイール１５の位置、したがって、復帰位置にあるワイパーアーム及びワイパーブレードの位置が、接触部６３を介して検出され得る。
【００３３】
組立状態にある接続ユニット２０は、ギアボックス１０の内部に、接触部６３、具体的には当接領域６５がギアホイール１５と少なくとも部分的にオーバーラップして配設されるように配置される。この目的のために、ギアボックス１０は、挿入開口７１を有する受容部６９を備える。受容部６９は、引出式の接続ユニット２０と相互作用する。特に図２乃至５に示すように、受容部６９は、挿入方向７３に平行に形成された溝形状のガイド要素７５を備える。挿入開口７１への挿入中に、接続ユニット２０を比較的小さい間隙を以てガイドするように、ガイド要素７５は、キャリア要素２６の側壁領域に形成された対応するガイド要素７７と相互作用する。更に、接続ユニット２０をギアボックス１０の受容部６９内に組入れた状態において、ラッチ接続部８０が、接続ユニット２０とギアボックス１０との間に形成される（図２）。例えば、ラッチ接続部８０は、特に図２乃至４に示すように、挿入開口７１の方向に突出するラッチトラニオン８２、並びに、キャリア２６において横方向に配設された少なくとも１つのラッチフック８４を有する。フックはラッチ開口８６（図２及び５に示す）と相互作用するとともに、ラッチトラニオン８２は円形ラッチ開口８８（図５に示す）と相互作用する。
【００３４】
ワイパーモータ１００を組立てるには、接続ユニット２０とカーボンブラシホルダプレート３０とから予め組立てた構造ユニット３２を、接続ユニット２０とともに、ラッチ接続部８０が達成されるまで、ギアボックス１０の受容部６９に挿入する。次に、例えば、電気モータ１０とともにそのモータハウジング２が、図１に示す締結ネジ７によってギアボックス１０に接続され得る。ここで、図２によれば、電気モータ１又はモータハウジング２を組付けると、モータハウジング２が図５に示すキャリア要素２６のストッパ面９０に当接するとともに、そこで挿入方向７３の反対方向におけるストッパとして機能するような態様で、モータハウジング２はギアボックス１０に接続される、ということが必須である。
【００３５】
図８は、接続ユニット２０の変形例を示す。本例では、接続ユニットは、図８において図示されないカーボンブラシホルダプレート３０に接続されない。接続ユニット２０ａ、具体的にはキャリア要素２６ａが、組立状態において、ギアボックス１０ａの外側においてギアボックス１０ａに形成された２つの開口９２、９３を閉鎖する、又はカバーするように形成される。ここで、一方の開口は、ギアホイール１５の領域に形成され、これにより、接触部６３が接触要素６７と相互作用することができる。他方の開口９３は、キャリア要素２６ａに形成された接続要素４０の、開口９３のエリアに配設された接続要素４２に対する接触を許容する。この目的のために、接続ユニット２０ａは、ギアボックス１０ａに矢印９４の方向において接続される。ラッチ接続部８０ａを形成するように、ラッチ突起９６並びにラッチ開口９７が、接続ユニット２０ａとギアボックス１０ａの双方に形成される。
【００３６】
上述のワイパーモータ１００又は接続ユニット２０、２０ａは、本発明の原理から逸脱することなく種々の方法及び態様において修正又は変更され得る。
【参照符号の説明】
【００３７】
１  モータ
２  モータハウジング
３  アンカー
４  アンカーシャフト
５  歯部セクション
６  コミュテータ
７  締結ネジ
１０、１０ａ  ギアボックス
１１  対応歯部
１３  軸
１５  ギアホイール
１７  レバー機構
１９  駆動シャフト
２０、２０ａ  接続ユニット
２２  プラグコネクタ要素
２４  接続ライン
２６、２６ａ  キャリア要素
２８  側面
３０  カーボンブラシホルダプレート
３２  構造ユニット
３４  ラッチ接続部
３６  ラッチトラニオン
３８  ラッチ開口
４０  接続要素
４１  キャリア領域
４２  接続要素
４３  貫通口
４４  リードフレーム要素
４６  接触セクション
４８  ラッチ接続部
５０  ラッチトラニオン
５２  回路キャリア
５３  ラッチ開口
５５  カバープレート
５７  ラッチ開口
５９  ギアカバー
６１  締結ネジ
６２  側面
６３  接触部
６５  当接領域
６７  接触要素
６９  受容部
７１  挿入開口
７３  挿入方向
７５  ガイド
７７  ガイド要素
８０、８０ａ  ラッチ接続部
８２  ラッチトラニオン
８４  ラッチフック
８６  ラッチ開口
８８  ラッチ開口
９０  ストッパ面
９２  開口
９３  開口
９４  矢印
９６  ラッチ突起
９７  ラッチ開口
１００  ワイパーモータ
【図１】
2019500844.tif 000003
【図２】
2019500844.tif 000004
【図３】
2019500844.tif 000005
【図４】
2019500844.tif 000006
【図５】
2019500844.tif 000007
【図６】
2019500844.tif 000008
【図７】
2019500844.tif 000009
【図８】
2019500844.tif 000010
【国際調査報告】
2019500844.tif 000011
2019500844.tif 000012